(57)【要約】【課題】    透かし検出器を内蔵した電子カメラにより、デジタル万引きを防止する。【解決手段】    ＣＣＤ１１により撮影された書籍２の透かし入り画像２０は、画像取得部１２によりデジタル画像データに変換され、メモリ１４に保存される。透かし検出器１３は、メモリ１４からロードされたデジタル画像データから撮像不可情報を抽出する処理を行う。撮像不可情報が抽出された場合、制御部１５はメモリ１４に一時保存されているデジタル画像データを消去し、撮像不可情報が検出されなかった場合、制御部１５はデジタル画像データをメモリ１４から図示しない外部メモリに転送する。  【選択図】    図２
2005277608.tif 000002
【特許請求の範囲】
【請求項１】
画像が印刷されている冊子であって、
前記画像には、当該画像の撮影を禁止する旨の情報が電子透かしにより埋め込まれていることを特徴とした冊子。
【請求項２】
当該ページの撮影を禁止する旨の情報が電子透かしにより埋め込まれていることを特徴とした冊子。
【請求項３】
撮影画像から画像データを生成する撮影手段と、
情報データが電子透かしにより埋め込まれた透かし入り画像を撮像したときに、前記撮像手段にて生成された透かし入り画像データから前記情報データを抽出する電子透かし抽出手段と、
前記電子透かし抽出手段により抽出された前記情報データが、前記透かし入り画像の撮影を禁止する旨の内容であったとき、前記透かし入り画像データを消去する消去手段と、を有する画像処理装置。
【請求項４】
撮影画像から画像データを生成する撮影手段と、
情報データが電子透かしにより埋め込まれた透かし入り画像を撮像したときに、前記撮像手段にて生成された透かし入り画像データから前記情報データを抽出する電子透かし抽出手段と、
前記電子透かし抽出手段により抽出された前記情報データが、前記透かし入り画像の撮影を禁止する旨の内容であったとき、前記透かし入り画像データにノイズを付加する手段と、を有する画像処理装置。
【請求項５】
撮影画像から画像データを生成する撮影手段と、
情報データが電子透かしにより埋め込まれた透かし入り画像を撮像したときに、前記撮像手段にて生成された透かし入り画像データから前記情報データを抽出する電子透かし抽出手段と、
前記電子透かし抽出手段により抽出された前記情報データが、前記透かし入り画像の撮影を禁止する旨の内容であったとき、前記透かし入り画像データに複製禁止を示す可視的情報をに記録する手段と、を有する画像処理装置。
【請求項６】
撮影画像から画像データを生成する撮影手段と、
情報データが電子透かしにより埋め込まれた透かし入り画像を撮像したときに、前記撮像手段にて生成された透かし入り画像データから前記情報データを抽出する電子透かし抽出手段と、
前記電子透かし抽出手段により抽出された前記情報データが、前記透かし入り画像の撮影を禁止する旨の内容であったとき、前記透かし入り画像データの特定の周波数成分を除去する手段と、を有する画像処理装置。
【請求項７】
撮影画像から画像データを生成する撮影手段と、
情報データが電子透かしにより埋め込まれた透かし入り画像を撮像したときに、前記撮像手段にて生成された透かし入り画像データから前記情報データを抽出する電子透かし抽出手段と、
前記電子透かし抽出手段により抽出された前記情報データが、前記透かし入り画像の撮影を禁止する旨の内容であったとき、前記透かし入り画像データに撮影機器もしくは撮影者のIDを不可視の電子透かしとして記録する手段と、を有する画像処理装置。
【発明の詳細な説明】
【技術分野】
【０００１】
本発明は、冊子、画像処理装置に関し、著作権が発生する紙媒体の不正なデジタル化の防止において好適なものである。
【背景技術】
【０００２】
最近は、書店などでカメラ付き携帯電話を悪用し、情報誌の記事などを撮影する「デジタル万引き」が急増している。そこで、著作権が発生する紙媒体の不正なデジタル化へ対する防止策の必要性が問われている。
【０００３】
このようなデジタル万引きを防止するために、日本雑誌協会（雑協）と電気通信事業者協会（ＴＣＡ）は、万引き防止を呼びかける啓発ポスターを作成し、携帯電話使用者のマナー向上を訴えている（非特許文献１、２）。
【非特許文献１】富田  洋一、「デジタル万引き急増し書店大迷惑  カメラ付き携帯悪用の新“犯罪”」、毎日インタラクティブ  Ｄｉｇｉｔａｌ  トゥデイ  平成１５年７月２３日、〔平成１６年３月１７日検索〕、インターネット＜ＵＲＬ：  1080085043062_0.html＞。
【非特許文献２】「カメラ付き携帯電話・ＰＨＳのマナー啓発ポスターを作成」、社団法人電気通信事業者協会プレスリリース、平成１６年１月３０日、〔平成１６年３月１７日検索〕、インターネット＜ＵＲＬ：1080085043062_1.html＞。
【発明の開示】
【発明が解決しようとする課題】
【０００４】
一方、携帯会社は、盗撮などの防止のために、カメラ付き携帯は撮影時に確認音が鳴るようにしたり、撮影しない場合はレンズ部が内側を向いたり、レンズ部にスライド式のカバーを設けるなどの対策を取ってきた。しかし、著作権侵害問題に発展しかねないデジタル万引きについては、現段階では特に注意を喚起した携帯会社はまだなく、それぞれ対応を検討している状態である（非特許文献１）。
そこで本発明は、透かし検出器を内蔵した電子カメラにより、デジタル万引きを防止することを目的とする。
【課題を解決するための手段】
【０００５】
請求項１の冊子には、画像が印刷されており、その画像には、当該画像の撮影を禁止する旨の情報が電子透かしにより埋め込まれている。冊子とは、綴じ本のことであり、書物全般を指すものである。
【０００６】
請求項２の冊子には、文字もしくは画像が印刷されている。その冊子のページには、当該ページの撮影を禁止する旨の情報が電子透かしにより埋め込まれている。
【０００７】
請求項３の画像処理装置は、撮影画像から画像データを生成する撮影手段と、情報データが電子透かしにより埋め込まれた透かし入り画像を撮像したときに前記撮像手段にて生成された透かし入り画像データから前記情報データを抽出する電子透かし抽出手段と、前記電子透かし抽出手段により抽出された前記情報データが前記透かし入り画像の撮影を禁止する旨の内容であったとき前記透かし入り画像データを消去する消去手段とを有する。
【０００８】
請求項４の画像処理装置は、撮影画像から画像データを生成する撮影手段と、情報データが電子透かしにより埋め込まれた透かし入り画像を撮像したときに前記撮像手段にて生成された透かし入り画像データから前記情報データを抽出する電子透かし抽出手段と、前記電子透かし抽出手段により抽出された前記情報データが前記透かし入り画像の撮影を禁止する旨の内容であったとき前記透かし入り画像データにノイズを付加する手段とを有する。
【０００９】
請求項５の画像処理装置は、撮影画像から画像データを生成する撮影手段と、情報データが電子透かしにより埋め込まれた透かし入り画像を撮像したときに前記撮像手段にて生成された透かし入り画像データから前記情報データを抽出する電子透かし抽出手段と、前記電子透かし抽出手段により抽出された前記情報データが前記透かし入り画像の撮影を禁止する旨の内容であったとき前記透かし入り画像データに複製禁止を示す可視的情報をに記録する手段と、を有する。
【００１０】
請求項６の画像処理装置は、撮影画像から画像データを生成する撮影手段と、情報データが電子透かしにより埋め込まれた透かし入り画像を撮像したときに前記撮像手段にて生成された透かし入り画像データから前記情報データを抽出する電子透かし抽出手段と、前記電子透かし抽出手段により抽出された前記情報データが前記透かし入り画像の撮影を禁止する旨の内容であったとき前記透かし入り画像データの特定の周波数成分を除去する手段と、を有する。
【００１１】
請求項７の画像処理装置は、撮影画像から画像データを生成する撮影手段と、情報データが電子透かしにより埋め込まれた透かし入り画像を撮像したときに、前記撮像手段にて生成された透かし入り画像データから前記情報データを抽出する電子透かし抽出手段と、前記電子透かし抽出手段により抽出された前記情報データが前記透かし入り画像の撮影を禁止する旨の内容であったとき、前記透かし入り画像データに撮影機器もしくは撮影者のIDを不可視の電子透かしとして記録する手段と、を有する。
【発明の効果】
【００１２】
本発明によれば、デジタル万引きを防ぐことができるため、著作者、並びに、出版社は、安心して、著作物を出版することができる。
【発明を実施するための最良の形態】
【００１３】
図１は、透かし入り画像２０が印刷された書籍２を示す図である。透かし入り画像２０の中にはデジタル化不可情報２１がロバストな電子透かし埋め込み方式により、不可視に埋め込まれている。透かし入り画像２０は、カラー画像であっても良いし、白黒画像でも良いし、或いはグレースケールで表現された画像でも良い。
【００１４】
図１の例では、デジタル不可視情報２１は画像の一部に埋め込まれているが、画像全体に埋め込んでも良い。これにより、透かしを埋め込むことができる領域が増加するため、透かしの耐性向上が見込まれる。もしくは、画像の一部（図１の例では矩形領域）に埋め込まれているデジタル不可視情報２１と同一の情報を、画像全体に、オーバーラップしないように繰り返して埋め込んでもよい。これにより、画像の一部のみを撮影された場合にも、透かしを検出することが可能となる。
【００１５】
図２は、画像処理装置１の構成を示す図である。ＣＣＤ１１により書籍２の透かし入り画像２０が撮影されると、その撮影画像は、画像取得部１２によりデジタル画像データに変換される。このデジタル画像データはメモリ１４に転送され、メモリ１４に保存される。
【００１６】
その後、透かし検出器１３が作動して、メモリ１４からロードされたデジタル画像データからデジタル化不可情報２１を抽出する処理が行われる。透かし検出器１３により、デジタル画像データからデジタル化不可情報２１が抽出された場合、制御部１５は、メモリ１４に一時保存されているデジタル画像データを消去する。デジタル画像データからデジタル化不可情報２１が検出されなかった場合、制御部１５は、デジタル画像データをメモリ１４から図示しない外部メモリに転送する。外部メモリとは、例えばコンパクトフラッシュ（登録商標）やスマートメディア、あるいは画像処理装置１とネットワーク接続されているコンピュータ装置の記憶装置（ＨＤＤなど）を指す。
【００１７】
上記の画像処理装置１は、カメラ、カメラ付き携帯電話、複写機、スキャナなどに搭載することができる。上記の画像処理装置１を搭載したカメラ、カメラ付き携帯電話によれば、紙媒体に印刷された画像の撮影による取得を防ぐことができる。また、上記の画像処理装置１を搭載した複写機、スキャナによれば、紙媒体に印刷された画像の不正な複製を防止することができる。
【００１８】
今回開示された実施形態はすべての点で例示であって制限的なものではないと考えられるべきである。本発明の範囲は、上記した実施形態の説明ではなくて特許請求の範囲によって示され、特許請求の範囲と均等の意味および範囲内でのすべての変更が含まれることが意図される。
【００１９】
例えば、上記のデジタル画像データをメモリ１４から消去する操作の代わりとして、デジタル画像データにノイズを加える、コピー禁止等の文字を画像にはめ込む、高周波成分（低周波成分、或いは特定周波数の成分でも良い）を除去するなどの、デジタル処理を加えてメモリ１４に再保存しても良い。この場合は、想定される操作数Ｎに対して、ｌｏｇ２（Ｎ）ビットの透かしが印刷画像に埋め込まれていることになる。このようなデジタル処理によっても、デジタル万引きを防止することができる。
【００２０】
或いは、透かし検出器１３により、デジタル画像データからデジタル化不可情報２１が抽出されたとき、制御部１５は、メモリ１４に一時保存されているデジタル画像データに撮影機器もしくは撮影者のＩＤを不可視の電子透かしとして記録する。
【００２１】
また、上記の「デジタル万引き」の対象は紙媒体に印刷された画像に限らず、文字情報でも良い。例えば、文字情報のみからなる文庫本のページのある領域または、全体の領域に、上記のデジタル化不可情報２１と同様の情報を電子透かしにより埋め込んでも良い。このようなデジタル化不可情報を含む文庫本のページを画像処理装置により撮影した場合、画像処理装置は、その撮影された画像のデータをメモリから消去する。
【図面の簡単な説明】
【００２２】
【図１】透かし入り画像２０が印刷された書籍２を示す図である。
【図２】画像処理装置１の構成を示す図である。
【符号の説明】
【００２３】
１  画像処理装置
２  書籍
１１  ＣＣＤ
１２  画像取得部
１３  透かし抽出部
１４  メモリ
１５  制御部
２０  透かし入り画像
２１  デジタル化不可情報 
【図１】
2005277608.tif 000003
【図２】
2005277608.tif 000004